(57)【要約】      （修正有）【課題】蓋体の厚みを増加させることなくしかも蓋体の開閉操作性の低下を伴うことなく前後左右方向から蓋を開閉できる蓋開閉装置を提供する。【解決手段】ボックス本体と、ボックス本体を開閉可能に覆う蓋体とを備え、蓋体は前側開ボタン７の開成操作に連動して、球体２４と左前側ロックピン２０aと右前側ロックピン２０ｂとがロックを解除する方向に可動される。そして蓋体を持ち上げると、一対の左後側ロックピン２０ｃ、右後側ロックピン２０ｄとが係合している一対の後側球体２４を回動軸として蓋体が前から開成される。ついで蓋体を閉じる方向に回動させると左前側ロックピン２０aと右前側ロックピン２０ｂとが一対の前側球体２４にロックされる。同様に後左右方向から蓋を開閉できる。【選択図】図４
2008045323.tif 000002
【特許請求の範囲】
【請求項１】
ボックス本体と、該ボックス本体を開閉可能に覆う一枚の蓋体と、前記蓋体に設けられかつ異なる３方向又は４方向からの開操作を行う３個又は４個の開ボタンと、前記蓋体の各開ボタンの間に設けられたロックピンと、前記ボックス本体の前記蓋体に設けられた各ロックピンの位置に対応する位置に設けられかつ前記ロックピンに係合可能なロックピン係合部材と、前記ボックス本体に設けられて前記ロックピン係合部材を回動可能に保持する保持部材と、前記各開ボタンと前記各ロックピンとの間に設けられかつ開成操作された開ボタンの両隣のロックピンのみ前記ロックピン係合部材との係合を解除可能にする連動部材とを備えていることを特徴とする蓋体開閉装置。
【請求項２】
前記蓋体は四角形状をなし、前記各開ボタンは前記蓋体の各辺に設けられ、前記各ロックピンは前記蓋体の各頂部に設けられていることを特徴とする請求項１に記載の蓋開閉装置。
【請求項３】
前記蓋体には、前側開ボタンの開成操作に連動して互いに反対方向に駆動される一対の前側開閉用作動ロッドと前記後側開ボタンの操作に連動して互いに反対方向に駆動される一対の後側開閉用作動ロッドと前記左側開ボタンの操作に連動して互いに反対方向に駆動される一対の左側開閉用作動ロッドと前記右側開閉用ボタンの操作に連動して駆動される右側開閉用作動ロッドとが設けられ、
前記左前側ロックピンは前記一対の前側開閉用作動ロッドの一方と前記一対の左側開閉用作動ロッドの他方とに連結され、
前記右前側ロックピンは前記一対の前側開閉用作動ロッドの他方と右側開閉用作動ロッドの一方とに連結され、
前記右後側ロックピンは前記一対の右側開閉用作動ロッドの他方と前記一対の後側開閉用作動ロッドの一方とに連結され、
前記左後側ロックピンは一対の後側開閉用作動ロッドの他方と前記一対の左側開閉用作動ロッドの一方とに連結されていることを特徴とする請求項２に記載の蓋開閉装置。
【請求項４】
前記各ロックピン係合部材は球体からなることを特徴とする請求項１又は請求項２に記載の蓋開閉装置。
【請求項５】
前記各球体は８分割構成とされ、各分割部には前記球体の中心部に向かって延びる係合穴に前記各ロックピンを案内する少なくとも三つのテーパ面が形成されていることを特徴とする請求項４に記載の蓋開閉装置。
【請求項６】
前記各球体は該各球体の中心に向かって延びかつ前記各ロックピンに係合する係合穴を有し、前記各保持枠と前記各球体とにはそれぞれ各球体の回動停止位置を規定する位置決め用磁石が設けられていることを特徴とする請求項４に記載の蓋開閉装置。
【請求項７】
前記各保持部材には、蓋体を開成する際に回動部となる側のロックピン係合部材からロックピンが抜け出るのを阻止する抜け止め手段が設けられていることを特徴とする請求項１又は請求項２に記載の蓋開閉装置。
【請求項８】
前記各ロックピン係合部材は、前記各保持部材に回転可能に保持された回転板を有し、該回転板には中心に向かって延びかつ前記各ロックピンと係合する係合穴が形成され、前記各保持部材には前記蓋体を開成する際に回動部となる側の回転板の回転角度位置を規制する回転角度位置規制部が形成されていることを特徴とする請求項１又は請求項２に記載の蓋開閉装置。
【発明の詳細な説明】
【技術分野】
【０００１】
本発明は、例えば、自動車のコンソールボックスの蓋体を前後左右から開閉可能な蓋開閉装置に関する。
【背景技術】
【０００２】
従来から、蓋開閉装置には、自動車のコンソールボックスの蓋体を左右両側（運転席側と助手席側）とから開閉可能とした蓋開閉装置が知られている（例えば、特許文献１参照。）。
【特許文献１】特開２０００−９６９０８号公報
【発明の開示】
【発明が解決しようとする課題】
【０００３】
しかしながら、この種の蓋開閉装置では、左右両側から蓋体を開くことができるのみで、前後左右方向から開くことができず、あえて前後左右方向から開く構成のものにしようとすると、両側から開くことが可能な構造の蓋体構成部を互いに前後方向と左右方向とから開くことができるようにして上下方向に重ね合わせた二重構造の蓋体とせざるを得ず、蓋体そのものの厚さが増加するという不都合、下側に存在する蓋体構成部が重くなってその開閉操作性が低下するという不都合がある。
【０００４】
本発明は、上記の事情に鑑みて為されたもので、その目的とするところは、蓋体の厚みを増加させることなくしかも蓋体の開閉操作性の低下を伴うことなく前後左右方向から蓋を開閉できる蓋開閉装置を提供することを目的とする。
【課題を解決するための手段】
【０００５】
本発明の蓋開閉装置は、ボックス本体と、該ボックス本体を開閉可能に覆う一枚の蓋体と、前記蓋体に設けられかつ異なる３方向又は４方向からの開操作を行う３個又は４個の開ボタンと、前記蓋体の各開ボタンの間に設けられたロックピンと、前記ボックス本体の前記蓋体に設けられた各ロックピンの位置に対応する位置に設けられかつ前記ロックピンに係合可能なロックピン係合部材と、前記ボックス本体に設けられて前記ロックピン係合部材を回動可能に保持する保持部材と、前記各開ボタンと前記各ロックピンとの間に設けられかつ開成操作された開ボタンの両隣のロックピンのみ前記ロックピン係合部材との係合を解除可能にする連動部材とを備えていることを特徴とする。
【発明の効果】
【０００６】
本発明によれば、蓋体の厚みを増加させることなくしかも蓋体の開閉操作性の低下を伴うことなく前後左右方向から蓋を開閉できるという効果を奏する。
【発明を実施するための最良の形態】
【０００７】
以下に、本発明に係わる蓋開閉装置の実施例を図面を参照しつつ説明する。
【実施例】
【０００８】
図１において、１はボックス本体としてのコンソールボックス、２は蓋体としてのコンソールリッドである。
【０００９】
コンソールボックス１には図２に示すようにその上部に四角形状の開口３が設けられている。そのコンソールボックス１の開口周壁４の上部でその角部には後述するロックピン係合部材を回動可能に保持する保持部材としての角筒形状の保持枠５a〜５ｄがそれぞれ設けられている。
【００１０】
この角筒形状の保持枠５a〜５ｄの角部にはU字形状切り欠き５ｆが図３に拡大して示すように形成されている。また、その保持枠５a〜５ｄの上部には対角方向に延びる案内切り欠き５ｆ’が形成されている。
【００１１】
そのU字形状切り欠き５ｆ、案内切り欠き５ｆ’は後述するロックピンの回動の際の干渉を避ける役割を果たす。その角筒形状の保持枠５a〜５ｄの下部にはその各隅部に脚部５ｇが形成され、この脚部５ｇは開口周壁４の上部に差し込まれ、これによって、保持枠５a〜５ｄが開口周壁４の上部に固定されている。
【００１２】
コンソールリッド２は四角形状の開口３に対応して四角形状とされ、図４に模式的に示すように、コンソールリッド２には、その左側に左側開ボタン６が設けられ、その前側に前側開ボタン７が設けられ、右側に右側開ボタン８が設けられ、後側に後側開ボタン９が設けられている。なお、ここで、前後左右とは、自動車の進行方向に対して前後左右の意味で使用している。
【００１３】
その各開ボタン６〜９は、四角形状のコンソールリッド２の各辺に設けられ、各開ボタン６〜９は、操作ボタン部１０とコ字形状のラック板部１１（図５参照）とからなっている。ラック板部１１にはその裏面上部側に歯部１１aが形成されている。
【００１４】
各開ボタン６〜９は、スプリング１２によってコンソールリッド２の周辺部から突出する方向（矢印F１方向）に付勢されている。このコンソールリッド２の内部には、前側開ボタン７の開成操作に連動して互いに反対方向に駆動される一対の前側開閉用作動ロッド１３a、１３ｂと、後側開閉用ボタン９の操作に連動して互いに反対方向に駆動される一対の後側開閉用作動ロッド１４a、１４ｂと、左側開ボタン６の操作に連動して互いに反対方向に駆動される一対の左側開閉用作動ロッド１５a、１５ｂと、右側開閉用ボタン８の操作に連動して互いに反対方向に駆動される一対の右側開閉用作動ロッド１６a、１６ｂとが設けられている。
【００１５】
各一対の開閉用作動ロッド１３a、１３ｂ、１４a、１４ｂ、１５a、１５ｂ、１６a、１６ｂの一端部はピニオンギヤ１８に螺合されている。そのピニオンギヤ１８はラック板部１１の歯部１１aに噛み合わされている。
【００１６】
各一対の開閉用作動ロッド１３a、１３ｂ、１４a、１４ｂ、１５a、１５ｂ、１６a、１６ｂの他端部にはワイヤー係止部１９が設けられている。コンソールリッド２の各角部には各保持枠５a〜５ｄに対応する箇所に案内筒１９a〜１９ｄが設けられている。各案内筒１９a〜１９ｄはその軸線が対角線方向に沿う方向に延びている。
【００１７】
案内筒１９aには左前側ロックピン２０aが設けられ、案内筒１９ｂには右前側ロックピン２０ｂが設けられ、案内筒１９ｃには左後側ロックピン２０ｃが設けられ、案内筒１９ｄには右後側ロックピン２０ｄが設けられている。
【００１８】
各ロックピン２０a〜２０ｄは、各開ボタン６〜９の間でコンソールリッド２の頂部に位置され、そロックピン２０a〜２０ｄの先端部は円錐形状のテーパ面２１とされ、その各ロックピン２０a〜２０ｄの後端部と案内筒１９a〜１９ｄとの間にはスプリング２２が介装されている。各ロックピン２０a〜２０ｄはそのスプリング２２によって案内筒１９a〜１９ｄから突出する方向に（矢印F２方向）に付勢されている。
【００１９】
左前側ロックピン２０aの後端部は一方の前側開閉用作動ロッド１３aのワイヤー係止部１９にワイヤー２３aを介して連結されると共に、他方の左側開閉用作動ロッド１５ｂのワイヤー係止部１９にワイヤー２３ｈを介して連結されている。
【００２０】
右前側ロックピン２０ｂの後端部は他方の前側開閉用作動ロッド１３ｂのワイヤー係止部１９にワイヤー２３ｂを介して連結されると共に、一方の右側開閉用作動ロッド１６aにワイヤー２３ｃを介して連結されている。
【００２１】
右後側ロックピン２０ｄの後端部は他方の右側開閉用作動ロッド１６ｂにワイヤー２３ｄを介して連結されると共に、一方の後側開閉用作動ロッド１４aにワイヤー２３eを介して連結されている。
【００２２】
左後側ロックピン２０ｃの後端部は他方の後側開閉用作動ロッド１４ｂにワイヤー２３ｆを介して連結されると共に、一方の左側開閉用作動ロッド１５aにワイヤー２３ｇを介して連結されている。
【００２３】
各保持枠５a〜５ｄの下部には、図３に示すように台座部５eが設けられ、この台座部５eにはボールジョイントとしての球体２４が回動可能に設けられている。
【００２４】
この球体２４は、図６に拡大して示すように８分割構成とされ、各分割部２４ｂに球体２４の中心に向かって各ロックピン２０a〜２０ｄを案内する少なくとも三つの扇形状テーパ面２５が形成されている。その三つの扇形状テーパ面２５の交差箇所には球体２４の中心部に向かう方向に延びかつ各ロックピン２０a〜２０ｄの先端部が係合する係合穴２６が形成されている。各ロックピン２０a〜２０ｄはコンソールリッド２を平面視して対角線方向から各球体２４の係合穴２６に係合している。
【００２５】
コンソールリッド２は、各ロックピン２０a〜２０ｄが対角線方向から外側に向かって開く方向に球体２４に係合することによりコンソールボックス１にロックされている。
【００２６】
この蓋開閉装置によれば、例えば、前側開ボタン７を開成操作すると、ラック板部１１とピニオンギヤ１８との噛み合いにより、一対の前側開閉用作動ロッド１３a、１３ｂが互いに接近する方向に可動され、左前側ロックピン２０a、右前側ロックピン２０ｂがワイヤー２３a、２３ｂによってスプリング２２の付勢力に抗して球体２４から抜け出る方向に可動される。これにより、球体２４と左前側ロックピン２０a、右前側ロックピン２０ｂとの係合が解除される。
【００２７】
そして、コンソールリッド２を持ち上げると、左後側ロックピン２０ｃが係合している球体２４、右後側ロックピン２０ｄが係合している球体２４を回動部として、コンソールリッド２が図７に示すように開成される。その際、回動部となる側の案内切り欠き５ｆ’の延びる方向終端壁部５ｆ”（図３参照）は、コンソールリッド２を開成させたときの開き姿勢を保つ役割を果たすと共に、ロックピン係合部材としての球体２４からロックピンが抜け出るのを阻止する抜け止め手段としての消極的役割を果たす。
【００２８】
ついで、コンソールリッド２を閉じる方向に回動させると、左前側ロックピン２０aの先端部、右前側ロックピン２０ｂの先端部が８分割部のいずれかのテーパ面２５に当接し、各ロックピン２０a、２０ｂの先端部がいずれかの分割部に存在する係合穴２６に向かって案内され、これによって、コンソールリッド２がロックされる。
【００２９】
後側開ボタン９を開成操作したときは、左前側ロックピン２０aが係合している球体２４、右前側ロックピン２０ｂが係合している球体２４を回動部としてコンソールリッド２が開成され、一対の後側開閉用作動ロッド１４a、１４ｂの作動、左後側ロックピン２０ｃ、右後側ロックピン２０ｄの作動については、前側開ボタン７を開成操作したときの作動と同様であるので、その詳細な説明は省略する。また、コンソールリッド２を閉じる方向に回動させたときの作動も同様であるので、その詳細な説明は省略する。
【００３０】
また、例えば、左側開ボタン６を開成操作すると、ラック板部１１とピニオンギヤ１８との噛み合いにより、一対の左側開閉用作動ロッド１５a、１５ｂが互いに接近する方向に可動され、左前側ロックピン２０a、左後側ロックピン２０ｃがワイヤー２３ｇ、２３ｈによってスプリング２２の付勢力に抗して球体２４から抜け出る方向に可動される。これにより、球体２４と左前側ロックピン２０a、左後側ロックピン２０ｃとの係合が解除される。
【００３１】
そして、コンソールリッド２を持ち上げると、右前側ロックピン２０ｂが係合している球体２４、右後側ロックピン２０ｄが係合している球体２４を回動部として、図２に示すようにコンソールリッド２が開成される。ついで、コンソールリッド２を閉じる方向に回動させると、左前側ロックピン２０aの先端部、左後側ロックピン２０ｃの先端部が球体２４の８分割部のいずれかのテーパ面２５に当接し、各先端部が各分割部に存在する係合穴２６に向かって案内され、これによって、コンソールリッド２がロックされる。
【００３２】
右側開ボタン８を開成操作したときは、右前側ロックピン２０ｂが係合している球体２４、右後側ロックピン２０ｄが係合している球体２４を回動部として、コンソールリッド２が開成され、一対の左側開閉用作動ロッド１５a、１５ｂの作動、左前側ロックピン２０a、左後側ロックピン２０ｃの作動については、左側開ボタン６を開成操作したときの作動と同様であるので、その詳細な説明は省略する。また、コンソールリッド２を閉じる方向に回動させたときの作動も同様であるので、その詳細な説明は省略する。
【００３３】
このように、作動ロッド１３a、１３ｂ、１４a、１４ｂ、１５a、１５ｂ、１６a、１６ｂ、ピニオンギヤ１８、ワイヤー２３a〜２３ｈは、開成操作された両隣のロックピンのみロックピン係合部材との係合を解除する連動部材として機能する。
【００３４】
この実施例によれば、球体２４を８分割構成とし、各分割部２４ｂにテーパ面２５を形成したので、コンソールリッド２を開成する際に球体２４が回動したとしても、コンソールリッド２を閉じる際に、いずれかの分割部２４a〜２４ｈのいずれかのテーパ面２５にロック解除されたロックピンの先端部が当接していずれかの分割部２４a〜２４ｈの係合穴２６に係合するので、コンソールリッド２を閉じる際にそのロックを確実に行うことができる。
【００３５】
本発明の実施の形態は、以上説明したように構成したので、蓋体の厚みを増加させることなくしかも蓋体の開閉操作性の低下を伴うことなく前後左右方向から蓋を開閉できる。
（変形例１）
発明の実施の形態では、ボールジョイントを球体２４から構成し、この球体２４を８分割構成として、各分割部２４ｂに扇形状のテーパ面２５を形成したが、図８に示すように、台座部５eに位置決め用磁石２７を設け、球体２４にはこの位置決め用磁石２７に対向させて位置決め用磁石２８を設け、かつ、その球体２４に各ロックピン２０a〜２０ｄに対応する１個の円錐形状の係合穴２９を形成し、その位置決め用磁石２７、２８に互いに協働して球体２４の姿勢を決定する役割を果たさせるようにしても良い。
【００３６】
この変形例１に示す球体２４によれば、コンソールリッド２を開成する際に球体２４が回動したとしても、位置決め用磁石２７、２８の相互吸引作用によって、球体２４が元の姿勢に復帰するので、コンソールリッド２を閉じる際に、ロックピンを係合穴２９に確実に嵌合させることができる。
（変形例２）
発明の実施の形態では、U字形状の切り欠き５ｆを各保持枠５a〜５ｄの角部に形成したが、切り欠き５ｆにコンソールリッド２を開いたときに回動部となる球体２４からこの球体２４に係合するロックピンが抜け出るのを積極的に防止する抜け止め手段としての機能を付与するために、図９に示すように、切り欠き５ｆを下部から上方に向かって幅が狭くなって、ロックピンが立ち上がると共に切り欠き５ｆがロックピンにかみ込む形状としても良い。
（他の実施例）
先の実施例では、開口周壁４の各隅部にそれぞれ保持枠５a〜５ｄを立設し、各保持枠５a〜５ｄに球体２４を設ける構成としたが、この変形例３では、図１０に示すように、開口周壁４の各隅部に保持部材として一対の立設板３０a〜３０ｄが形成されている。この一対の立設板３０a〜３０ｄには回転板３１a〜３１ｄが設けられている。
【００３７】
この回転板３１a〜３１ｄは一対の軸部３２を有し、この一対の軸部３２は一対の立設板３０a〜３０ｄに回転可能に保持されている。回転板３１a〜３１ｄには各ロックピン２０a〜２０ｄに対応する箇所に円錐形状の係合穴３３が形成されている。
【００３８】
一対の立設板３０a〜３０ｄのには、図１１に示すように、各回転板３１a〜３１ｄの回転角度位置を規制する回転角度位置規制部３４が形成されている。一対の軸部３２にはその回転角度位置規制部３４に係合する扇形状係合部３５が形成されている。
【００３９】
回転板３１a〜３１ｄはその扇形状係合部３５の回動許容領域３６内で回動される。その回転板３１a〜３１ｄと立設板３０a〜３０ｄとの間には引っ張りコイルスプリング３６が掛け渡され、回転板３１a〜３１ｄはその扇形状係合部３５の一面３５aが回転角度位置規制部３４の一面３４aに当接する方向（矢印F3方向）に付勢されている。
【００４０】
例えば、前側開ボタン７を開成操作すると、発明の実施の形態で説明したように図１０に示す一対の前側開閉用作動ロッド１３a、１３ｂとワイヤー２３a、２３ｂとの作用によって、左前側ロックピン２０aと右前側ロックピン２０ｂとが引っ張りコイルスプリング３６の付勢力に抗して一対の回転板３１a、３１ｂの係合穴３３から抜け出る方向に可動され、一対の回転板３１a、３１ｂと左前側ロックピン２０aと右前側ロックピン２０ｂとのロックがそれぞれ解除される。
【００４１】
その際、一対の回転板３１a、３１ｂがその係合穴３３から抜け出る方向にたとえ回動したとしても、一対の回転板３１a、３１ｂと左前側ロックピン２０aと右前側ロックピン２０ｂとのロック解除後は、引っ張りコイルスプリング３６の付勢力によって、回転板３１a、３１ｂの扇形状係合部３５の一面３５aが回転角度位置規制部３４の一面３４aに当接し、回転板３１a、３１ｂは元の回転角度位置に復帰する。
【００４２】
ついで、コンソールリッド２を持ち上げると、左後側ロックピン２０ｃが係合している回転板３１ｃと右後側ロックピン２０ｄが係合している回転板３１ｄとがその軸部３２を回動部として回動される。そして、扇形状係合部３５の他面３５ｂが回転角度位置規制部３４の他面３４ｂに当接することにより、回転板３１ｃ、３１ｄの回動が停止され、コンソールリッド２はコンソールボックス１に対して一定角度姿勢を保った状態で回動停止される。
【００４３】
この実施例では、ロックピン係合部材としての回転板に形成された扇状係合部３５が、コンソールリッド２を開成する際に回動部となる側のロックピン係合部材からロックピンが抜け出るのを防止する抜け止め手段としても機能する。
【００４４】
次に、コンソールリッド２を閉じる際には、回転板３１a、３１ｂの各係合穴３３が左前側ロックピン２０aと右前側ロックピン２０ｂとをそれぞれ受け入れ可能な位置に戻っているので、コンソールリッド２を閉じる方向に回動させると、左前側ロックピン２０aの先端部と右前側ロックピン２０ｂとの先端部とが各係合穴３３に嵌合する手前で回転板３１a、３１ｂの周壁３７に当接し、各案内筒１９a、１９ｂに引き込まれつつ各係合穴３３に接近する。
【００４５】
これにより、引っ張りコイルスプリング３６の付勢力が蓄積され、各ロックピン２０a、２０ｂが各係合穴３３に対向する位置に至ると、引っ張りコイルスプリング３６の付勢力によって各ロックピン２０a、２０ｂが各係合穴３３に進出され、これによりロックピン２０a、２０ｂによるロックが確保される。
【００４６】
ここでは、前側開成ボタン７を開成操作して、トランクリッド２の後側を回動部として前側からトランクリッド２を開ける場合について説明したが、後側開ボタン９を開成操作して、トランクリッド２を前側から開ける場合、左側開ボタン６を操作してトランクリッド２を開ける場合、右側開ボタン８を操作してトランクリッド２を開ける場合についても同様であるので、その詳細な説明は省略する。
【００４７】
以上、各実施例では、コンソールリッド２を四つの異なる操作方向から開成させる場合について説明したが、本発明は、これに限るものではなく、コンソールボックス１を開閉可能に覆う一枚のコンソールリッド２を異なる三つの操作方向から開閉する構成とすることもでき、この場合には、蓋体開閉装置がコンソールボックス１と、コンソールボックス１を開閉可能に覆う一枚のコンソールリッド２と、コンソールリッド２に設けられかつ異なる３方向からの開操作を行う３個の開ボタンと、コンソールリッド２の各開ボタンの間に設けられたロックピンと、コンソールボックス１のコンソールリッド２の各ロックピンの位置に対応する位置に設けられかつロックピンに係合可能なロックピン係合部材と、コンソールボックス１に設けられてロックピン係合部材を回動可能に保持する保持部材と、各開ボタンと各ロックピンとの間に設けられかつ開成操作された開ボタンの両隣のロックピンのみロックピン係合部材との係合を解除可能にする連動部材とを備える構成とすれば良い。
【図面の簡単な説明】
【００４８】
【図１】本発明に係わる蓋開閉装置の蓋体を閉じた状態の概略構成を示す斜視図である。
【図２】図１に示す蓋体を開成した状態を示す説明図であって、左側から蓋体を開けた状態を示す斜視図である。
【図３】図１に示す蓋体開閉装置の保持枠部分の部分分解斜視図である。
【図４】図１に示す蓋体の内部構造を模式的に示す平面図である。
【図５】図４に示す開ボタンと作動ロッドとロックピンとの結合構造を部分的に示す斜視図である。
【図６】図３に示す球体の詳細構造を示す斜視図である。
【図７】図１に示す蓋体を開成した状態を示す説明図であって、前側から蓋体を開けた状態を示す斜視図である。
【図８】図３に示す球体の変形例を示す斜視図である。
【図９】図３に示す保持枠の変形例を示す斜視図である。
【図１０】本発明の他の実施例に係わる蓋体の内部構造を模式的に示す平面図である。
【図１１】図１０に示す保持部材の概略構成を示す側面図である。
【図１２】図１１に示す保持部材の断面図である。
【符号の説明】
【００４９】
６…左側開ボタン
７…前側開ボタン
８…右側開ボタン
９…後側開ボタン
１０…操作ボタン部
５a〜５ｄ…保持枠（保持部材）
２０a…左前側ロックピン
２０ｂ…右前側ロックピン
２０ｃ…左後側ロックピン
２０ｄ…右後側ロックピン
【図１】
2008045323.tif 000003
【図２】
2008045323.tif 000004
【図３】
2008045323.tif 000005
【図４】
2008045323.tif 000006
【図５】
2008045323.tif 000007
【図６】
2008045323.tif 000008
【図７】
2008045323.tif 000009
【図８】
2008045323.tif 000010
【図９】
2008045323.tif 000011
【図１０】
2008045323.tif 000012
【図１１】
2008045323.tif 000013
【図１２】
2008045323.tif 000014